(57)【要約】      （修正有）【課題】パッティング動作において目標に対するパターフェイスの軌跡を可視化することによって、パッティング動作を視覚的に確認して練習するゴルフのパッティング練習具を提供する。【解決手段】パターＰに装着して使用するゴルフのパッティング練習具１であって、保形性を有する薄板状のパッティングプレート２と、該パッティングプレート２の裏面に固定された取付具３からなり、パッティングプレート２を、長手方向においてパターフェイスＦと直交する方向Ｘに位置するように取付具３を介してシャフトＳに装着可能とした。【選択図】図８
2015019716.tif 000002
【特許請求の範囲】
【請求項１】
パターに装着して使用するゴルフのパッティング練習具であって、
保形性を有する薄板状のパッティングプレートと、該パッティングプレートの裏面に固定された取付具からなり、パッティングプレートを、長手方向においてパターフェイスと直交する方向に位置するように取付具を介してシャフトに装着可能としたことを特徴とするゴルフのパッティング練習具。
【請求項２】
シャフトに装着したパッティングプレートによって、パッティング時のパターフェイスの目標に対する軌跡を可視化する請求項１記載のゴルフのパッティング練習具。
【請求項３】
シャフトに装着したパッティングプレートによって、パターヘッドの幅を増幅して可視化する請求項１又は２記載のゴルフのパッティング練習具。
【請求項４】
パッティングプレートを、取付具を介してパターヘッド近傍のシャフトに装着する請求項１，２又は３記載のゴルフのパッティング練習具。
【請求項５】
パッティングプレートを、取付具を介してグリップ近傍のシャフトに装着する請求項１，２又は３記載のゴルフのパッティング練習具。
【請求項６】
両端部が開口した断面コ字状の取付具の凹部に挟持部材を抱持し、該挟持部材によってシャフトを挟持することによってシャフトに装着する請求項１，２，３，４又は５記載のゴルフのパッティング練習具。
【請求項７】
挟持部材がシリコン，ウレタンフォームその他の緩衝部材からなる請求項６記載のゴルフのパッティング練習具。
【請求項８】
挟持部材で挟持したシャフトを固定部材によって角度調節可能に固定する請求項６又は７記載のゴルフのパッティング練習具。
【請求項９】
固定部材を押圧板と締付具から形成し、シャフトを挟持した挟持部材を押圧板によって押圧し、押圧板を締付具によって固定することによってシャフトに取付具を固定する請求項８記載のゴルフのパッティング練習具。
【請求項１０】
パッティングプレートが矩形状の樹脂板からなる請求項１，２，３，４，５，６，７，８又は９記載のゴルフのパッティング練習具。
【請求項１１】
パッティングプレートが横２５０ｍｍ〜３５０ｍｍ×縦８０ｍｍ〜１００ｍｍ×厚さ１ｍｍ〜３ｍｍである請求項１，２，３，４，５，６，７，８，９又は１０記載のゴルフのパッティング練習具。
【請求項１２】
パッティングプレートの表面に、パッティングプレートと直交するように薄板状のフェイスプレートを固定した請求項１，２，３，４，５，６，７，８，９，１０又は１１記載のゴルフのパッティング練習具。
【請求項１３】
フェイスプレートによって、パターフェイスの方向を増幅して可視化する請求項１，２，３，４，５，６，７，８，９，１０，１１又は１２記載のゴルフのパッティング練習具。
【請求項１４】
フェイスプレートを脱着自在にパッティングプレートに固定する請求項１２又は１３記載のゴルフのパッティング練習具。
【発明の詳細な説明】
【技術分野】
【０００１】
本発明は、ゴルフのパッティング練習具に関し、特にはパッティング動作において目標に対するパターフェイスの軌跡を可視化することによって、パッティング動作を視覚的に確認して練習するものである。
【背景技術】
【０００２】
ゴルファーの目的は少しでもよいスコアでラウンドすることにある。そのためにゴルファーは日々練習を重ねているが、その多くはアイアンやドライバー等のフェアウェイで使用するクラブの練習に費やされている。しかしながら、パープレイでのスコアの半分近くはパッティングであるという事実が物語るように、スコアをよくするためには、即ちゴルフをより楽しむためにはパッティングの練習が大切である。
【０００３】
パッティングでは、アドレス時にパターフェイスをボールの目標に対して直角に構えること、バックスイング及びフォロースイング時にパターフェイスをボールの目標に対して真っ直ぐに移動させること、想定した最適な力加減でインパクト時にボールをヒットすること等が必要であり、方向性と力加減の微妙なフィーリングが要求される。そのため、メンタルなスポーツといわれるゴルフの中でも、とりわけメンタルな影響を受けやすく、些細なミスがボールの転がりに大きく影響を与えることとなる。
【０００４】
そのため、従来より、種々のパッティング練習具が提供されており、カップまでの距離感，ボールの方向，インパクトの強さ等の的確な判断力を養うための道具として、グリーンを模した人工芝マットの終端に、上り傾斜路及びボールカップを備えたパターマットが広く普及している。
【０００５】
そして、パターの正しいスイングを習得するために、パターのフェイスのスイート・スポットの中心上部を通り、フェイスを上方に延長した面と直交する方向に延びた打球方向指示強調線を備えたパターヘッド（特許文献１）が提供されている。更に、パッティングの練習器具として、パターをパッティングラインに沿ってストロークできるように、左右一対の支持体間に、パターのシャフトを案内する棒又はひも等からなる案内部材を架設し、パターのシャフトを案内部材に接触させた状態でストロークさせるパッティング練習用具（特許文献２）や、パッティング時の移動方向を正確に見極めるために、直線状の基準方向指示線を上面に設けてボールの代わりにヒットするパット練習器具（特許文献３）も提供されている。
【先行技術文献】
【特許文献】
【０００６】
【特許文献１】特開平１１−１２３２５４号公報
【特許文献２】特開平１０−２４８９８４号公報
【特許文献３】特開２０１２−２９７６１号公報
【発明の概要】
【発明が解決しようとする課題】
【０００７】
パッティングの基本は、バックスイング→インパクト→フォロースイングからなる一連のパッティング動作を目標に対して正確に行うこと、即ちパターの正しいスイングを習得することにある。この正しいスイングを習得しない限り、カップまでの距離の判断，パッティングラインの判断，パッティング方向や強さ等の状況判断が的確に行えたとしても、実際のパッティングは上達しない。
【０００８】
特許文献１に示すパターヘッドには、その上面に打球方向指示強調線が表示されているが、該表示はパターヘッドのバックスイングの方向を僅かに示しているのみであり、しかもプレイヤーの視線から遠いパターフェイスの上面においてパターフェイスの幅寸法内に表示されているのみである。そのため、パターフェイスの目標に対する軌跡を把握して、パターフェイスを目標に対して真っ直ぐに移動させること等のパターの正しいスイングを習得する補助としての効果が少ない。
【０００９】
特許文献２にかかるパッティング練習用具を使用すれば、シャフトを案内部材に接触させた状態でスイングすることによって、パターフェイスを強制的に目標に対して真っ直ぐに移動させることは可能とはなる。しかしながら、案内部材に規制されたスイングに過ぎず、プレイヤーの意思に基づく自然なスイングではなく、自己のスイングをイメージして練習することには効果が少ない。しかも、パターとは別に練習用具を設置する必要があるため、実用性に欠ける。
【００１０】
特許文献３にかかるパット練習器具は、あくまでもボールの代わりにヒットするものに過ぎず、ヒットした後の練習器具の転がり具合を見てパターのスイングを推測するものに他ならず、実際のパッティングのスイングの習得には効果が薄い。
【００１１】
従来のパッティング練習具は、ボールをインパクトしてからのボールの動きを確認することによって、ボールをヒットする前のパッティング動作を推測する感覚に基づくトレーニングに過ぎず、正しいパッティングを習得することは困難であった。
【００１２】
そこで、本発明は上記した従来のパッティング練習具が有している課題を解決して、パッティング動作のバックスイング，インパクト，フォロースイングのいずれの場面においても、目標に対するパターフェイスの軌跡を可視化し、この軌跡を視覚的に確認しながらパッティング練習をすることができる合理的なゴルフのパッティング練習具を提供することを目的としている。
【課題を解決するための手段】
【００１３】
本発明はその目的を達成するために、パターに装着して使用するゴルフのパッティング練習具であって、保形性を有する薄板状のパッティングプレートと、該パッティングプレートの裏面に固定された取付具からなり、パッティングプレートを、長手方向においてパターフェイスと直交する方向に位置するように取付具を介してシャフトに装着可能としたゴルフのパッティング練習具を基本として提供する。そして、シャフトに装着したパッティングプレートによって、パッティング時のパターフェイスの目標に対する軌跡を可視化し、シャフトに装着したパッティングプレートによって、パターヘッドの幅を増幅して可視化する。
【００１４】
また、パッティングプレートを、取付具を介してパターヘッド近傍のシャフトに装着し、或いは取付具を介してグリップ近傍のシャフトに装着する。更に、両端部が開口した断面コ字状の取付具の凹部に挟持部材を抱持し、該挟持部材によってシャフトを挟持することによってシャフトに装着し、挟持部材をシリコン，ウレタンフォームその他の緩衝部材から構成する。
【００１５】
更に、挟持部材で挟持したシャフトを固定部材によって角度調節可能に固定し、固定部材を押圧板と締付具から形成し、シャフトを挟持した挟持部材を押圧板によって押圧し、押圧板を締付具によって固定することによってシャフトに取付具を固定する。パッティングプレートを矩形状の樹脂板から構成し、そのサイズを横２５０ｍｍ〜３５０ｍｍ×縦８０ｍｍ〜１００ｍｍ×厚さ１ｍｍ〜３ｍｍとする。
【００１６】
そして、パッティングプレートの表面に、パッティングプレートと直交するように薄板状のフェイスプレートを固定し、フェイスプレートによって、パターフェイスの方向を増幅して可視化し、又フェイスプレートを脱着自在にパッティングプレートに固定する。
【発明の効果】
【００１７】
以上記載した本発明によれば、パッティングプレートがパターフェイスと直交する方向に本発明にかかるゴルフのパッティング練習具を装着することによって、パッティング動作のバックスイング，インパクト，フォロースイングのいずれの場面においても目標に対するパターフェイスの軌跡を可視化することができる。そのため、パッティングプレートによって、パターフェイスの正しい軌跡を事前に視覚的に認識・把握するとともに、その軌跡を目視しながら、パッティング動作を習得することができる。そして、このパッティングを反復動作することによって、正しいパッティングを身につけることが可能となる。
【００１８】
更に、フェイスプレートをパッティングプレートに装着しておけば、フェイスプレートによって、パターフェイスを増幅して、その方向を可視化することができるため、フェイスプレートを基準とすることによって、容易に、かつ、正確にパターフェイスを打球の目標に対して正対させることができる。
【図面の簡単な説明】
【００１９】
【図１】本発明にかかるゴルフのパッティング練習具の正面方向からの全体斜視図。
【図２】本発明にかかるゴルフのパッティング練習具の背面方向からの全体斜視図。
【図３】本発明にかかるゴルフのパッティング練習具の正面図。
【図４】本発明にかかるゴルフのパッティング練習具の背面図。
【図５】本発明にかかるゴルフのパッティング練習具の平面図。
【図６】本発明にかかるゴルフのパッティング練習具の右側面図。
【図７】フェイスプレートの装着状態を示す要部説明図。
【図８】シャフトへの取付状態を示す説明図。
【図９】シャフトへの取付状態を示す説明図。
【図１０】シャフトへの取付状態を示す説明図。
【図１１】シャフトへの取付状態を示す要部断面図。
【図１２】使用状態を示す説明図。
【図１３】使用状態を示す説明図。
【図１４】使用状態を示す説明図。
【図１５】使用状態を示す説明図。
【発明を実施するための形態】
【００２０】
以下図面に基づいて本発明にかかるゴルフのパッティング練習具の実施形態を説明する。図１は本発明にかかるゴルフのパッティング練習具１の正面方向からの全体斜視図、図２はその背面方向からの全体斜視図、図３はその正面図、図４はその背面図、図５はその平面図、図６はその右側面図である。ゴルフのパッティング練習具１はパッティングプレート２と、該パッティングプレート２の裏面に固定された取付具３から構成されている。
【００２１】
パッティングプレート２は、保形性を有する軽量の薄板状であり、外形線は直線状に形成されている。図示例では、矩形状の樹脂板を使用した。パッティングプレート２のサイズに特に限定はないが、パッティングプレート２によってパッティング時のパターフェイスＦの目標に対する軌跡を可視化すること及びパターＰに装着することの便宜を考慮すると、横Ｗ×縦Ｈ×厚さＴが、Ｗ／２５０ｍｍ〜３５０ｍｍ×Ｈ／８０ｍｍ〜１００ｍｍ×Ｔ／１ｍｍ〜３ｍｍ程度が適当である。このパッティングプレート２は、パッティング時のパターフェイスＦの目標に対する軌跡を可視化するためのものである。
【００２２】
取付具３は両端部が開口した断面コ字状であって、底板３ａの両端から側板３ｂ，３ｃが起立している。そして、底板３ａがパッティングプレート２の裏面２ｂの中央部に接着その他の公知の手段で固定されている。取付具３のサイズにも特に限定はないが、後述するようにパターＰのシャフトＳに装着することを考慮すると、横Ｗ１×厚さＴ１が、Ｗ１／３０ｍｍ〜５０ｍｍ×Ｔ１／３０ｍｍ〜５０ｍｍが好ましく、高さＨ１はパッティングプレート２の高さＨの範囲内に収まることが適当である。
【００２３】
取付具３の凹部３ｄ（底板３ａ及び側板３ｂ，３ｃに囲繞された領域，図５参照）にはシリコン，ウレタンフォーム等の緩衝部材からなる挟持部材４が、その弾性力で抱持されている。挟持部材４も取付具３と同様に両端部が開口した断面コ字状であって、底面４ａの両端から側面４ｂ，４ｃが起立している。挟持部材４の側面４ｃと取付具３の側板３ｃの間には押圧板５ａと締付具５ｂとからなる固定部材５が装備されており、螺子等の適宜の締付具５ｂを取付具３の側板３ｃを貫通して螺合させ、締付具５ｂの先端で押圧板５ａを挟持部材４の側面４ｃに付勢して挟持部材４の側面４ｃを側面４ｂ側に密着させることができる。図示例では、挟持部材４の側面４ｃより小さい面積の１枚の矩形状の押圧板５ａを蝶螺子からなる２個の締付具５ｂで付勢するようにしたが、挟持部材４の側面４ｃを側面４ｂ側に密着させることができれば、押圧板５ａの形状や締付具５ｂの構成は他の公知の手段を採用することができる。
【００２４】
パッティングプレート２の表面２ａの中央部には、図７に示すように、パッティングプレート２と直交するように、断面Ｌ字状のフェイスプレート６を脱着自在に固定する。フェイスプレート６はパッティングプレート２と同様の保形性を有する軽量の薄板状であり、図示例ではその一面をボルト７ａとナット７ｂを使用してパッティングプレート２に螺着した。フェイスプレート６の形状には限定はなく、パッティングプレート２と直交する一定の面積を有していればよく、パッティングプレート２からの突出する厚さＴ３が３０ｍｍ〜７０ｍｍ、横Ｗ３が１ｍｍ〜３ｍｍが好ましく、縦のサイズはパッティングプレート２と同じサイズが適当である。このフェイスプレート６は、パターフェイスＦの方向を増幅して可視化するためのものである。
【００２５】
上記した構成のゴルフのパッティング練習具１をパターＰに装着して使用する。図８はゴルフのパッティング練習具１をパターＰのパターヘッドＨ近傍のシャフトＳに取り付けた状態の説明図であり、図９はグリップＧ近傍のシャフトＳに取り付けた状態の説明図である。取り付けに際しては、図１１に示すように、取付具３の凹部３ｄに抱持された挟持部材４の凹部４ｄに、ゴルフのパッティング練習具１を装着する箇所のシャフトＳを挿入し、取付具３の側板３ｃに螺合した締付具５ｂを締め付けて押圧板５ａで挟持部材４を押圧してシャフトＳにゴルフのパッティング練習具１を固定して装着する。このとき、パッティングプレート２の長手方向Ａ（図１参照）が、図８，図９に示すようにパターフェイスＦの長手方向Ｙと直交するＸ方向に位置するように装着する。
【００２６】
なお、シャフトＳに対するパッティングプレート２の取付は、図１０，図１１，図１４に示すように、シャフトＳの長手方向に対して、パッティングプレート２の縦方向Ｈが平行となるように取り付ければよい。或いは、シャフトＳの長手方向に対して、パッティングプレート２の縦方向Ｈが交差する方向に傾斜させて取り付けてもよい。シャフトＳに対するパッティングプレート２の取付状態は練習者８のアドレスや好みに応じて適宜調節する。パッティングプレート２の表面２ａ，裏面２ｂの視認範囲はどのような範囲であってもよく、或いは表面２ａが視認できない状態であってもよい。このゴルフのパッティング練習具１の装着時において肝要なことは、パッティングプレート２を長手方向Ａ（図１参照）において、図８に示すようにパターフェイスＦの長手方向Ｙと直交するＸ方向に位置するように装着することである。
【００２７】
図１０は、パッティングプレート２にフェイスプレート６を固定したゴルフのパッティング練習具１をパターＰのパターヘッドＨ近傍のシャフトＳに取り付けた状態の説明図である。図に示すように、フェイスプレート６は、パッティングプレート２と直交するように、即ち、パターフェイスＦの長手方向Ｙ（図８参照）と同一方向に装着されている。よって、フェイスプレート６はパターフェイスＦを増幅して可視化することができる。
【００２８】
次に本発明にかかるゴルフのパッティング練習具１の使用方法を説明する。図１２〜図１４は使用状態を示す説明図であり、グリップＧ近傍のシャフトＳにゴルフのパッティング練習具１を装着している。パッティングの基本、即ちパッティング練習において習得すべき事項は、パターフェイスＦをボールＢの目標Ｍに対して直角に構えること，パターＰのスイング時にパターフェイスＦをアドレス時の状態からボールＢの目標Ｍに対して平行に移動させることにある。このことはパッティングラインがストレイトライン，フックライン，スライスライン，或いはこれらを組み合わせたライン、即ち、どのようなラインであろうと共通する。目標Ｍはフックライン等のボールＢの軌跡が曲線を描くパッティングの場合は、ボールＢが曲がり始める始点が目標Ｍとなる。
【００２９】
先ず、使用時にはパッティングプレート２が長手方向ＡにおいてパターフェイスＦと直交する方向に位置するようにシャフトＳに装着されていることを確認する。次に図１２に示すように、練習者８の好みに応じて任意の位置にアドレスをする。このアドレス時において練習者８は、パッティングプレート２の両端から視線を延長させることによって、両足の方向を確認することができるため、パッティングプレート２は適切なアドレスの補助としても使用することができる。
【００３０】
このアドレス時において、パターフェイスＦを打球の目標Ｍに対して正対させ、目標ＭとパターフェイスＦを結ぶ仮想ライン９に対して直角に構える。そのためには、図１０に示すようにフェイスプレート６をパッティングプレート２に装着しておけば、フェイスプレート６によって、パターフェイスＦを増幅して、その方向を可視化されているため、フェイスプレート６を基準とすることによって、容易に、かつ、正確にパターフェイスＦを打球の目標Ｍに対して正対させることができる。なお、フェイスプレート６は必要に応じて使用すればよい。
【００３１】
この状態において、パッティングプレート２は、目標Ｍに対してパターフェイスＦを平行に移動させるためのパターフェイスＦの軌跡を可視化している。即ち、ボールＢを境として、パッティングプレート２の右側２ＲはパターフェイスＦのバックスイングの軌跡を、左側２Ｌはフォロースイングの軌跡を可視化している（図１３参照）。換言すれば、パッティングプレート２は、従来、特定の位置を示す点としてしか認識できなかったパターヘッドＨの幅を大幅に増幅して可視化することができる。
【００３２】
よって、練習者８はアドレス時に視認できるパッティングプレート２の形状が変化しないようにスイングすれば、パターフェイスＦを目標ＭとパターフェイスＦを結ぶ仮想ライン９に対して平行に移動させることができ、これを繰り返すことにより、正しいスイングを習得することができる。練習時において視認するパッティングプレート２の形状は、アドレス時に視認しているパッティングプレート２の形状が変化しなければパッティングプレート２の上端縁の線であっても、或いは表面２ａ又は裏面２ｂの面であってもよい。要すれば、アドレス時に視認しているパッティングプレート２の形状が変化しないように、即ち、視認するパッティングプレート２の幅が広くなったり狭くなったりすることがないようにスイングするだけでよい。
【００３３】
図１５は、パッティングプレート２をパターヘッドＨ近傍のシャフトＳに装着した使用状態を示す説明図であり、使用方法は前記したパッティングプレート２をグリップＧ近傍のシャフトＳに装着した場合と同様である。パッティングプレート２の取付位置には限定はなく、練習者８の好みや技能に応じてシャフトＳの任意の位置に取り付けることができる。なお、グリップＧに近いほど、練習者８との視点と近くなるため、パッティングプレート２によって可視化されたパターフェイスＦの軌跡を強く認識して練習を行うことができる。更に、パッティングプレート２はグリップＧに装着することも可能である。
【産業上の利用可能性】
【００３４】
以上記載した本発明によれば、パッティングプレートがパターフェイスと直交する方向に本発明にかかるゴルフのパッティング練習具を装着することによって、パッティング動作のバックスイング，インパクト，フォロースイングのいずれの場面においても目標に対するパターフェイスの軌跡を可視化することができる。そのため、パッティングプレートによって、パターフェイスの正しい軌跡を事前に視覚的に認識・把握するとともに、その軌跡を目視しながら、パッティング動作を習得することができる。そして、このパッティングを反復動作することによって、正しいパッティングを身につけることが可能となる。
【００３５】
更に、フェイスプレートをパッティングプレートに装着しておけば、フェイスプレートによって、パターフェイスを増幅して、その方向を可視化することができるため、フェイスプレートを基準とすることによって、容易に、かつ、正確にパターフェイスを打球の目標に対して正対させることができる。
【符号の説明】
【００３６】
１…ゴルフのパッティング練習具
２…パッティングプレート
２ａ…表面
２ｂ…裏面
３…取付具
３ａ…底板
３ｂ，３ｃ…側板
３ｄ，４ｄ…凹部
４…挟持部材
４ａ…底面
４ｂ，４ｃ…側面
５…固定部材
５ａ…押圧板
５ｂ…締付具
６…フェイスプレート
７ａ…ボルト
７ｂ…ナット
８…練習者
９…仮想ライン
Ａ…（パッティングプレート２の）長手方向Ａ
Ｘ…（パターフェイスＦの長手方向Ｙと）直交する方向
Ｙ…（パターフェイスＦの）長手方向
Ｐ…パター
Ｇ…グリップ
Ｓ…シャフト
Ｆ…パターフェイス
【図１】
2015019716.tif 000003
【図２】
2015019716.tif 000004
【図３】
2015019716.tif 000005
【図４】
2015019716.tif 000006
【図５】
2015019716.tif 000007
【図６】
2015019716.tif 000008
【図７】
2015019716.tif 000009
【図８】
2015019716.tif 000010
【図９】
2015019716.tif 000011
【図１０】
2015019716.tif 000012
【図１１】
2015019716.tif 000013
【図１２】
2015019716.tif 000014
【図１３】
2015019716.tif 000015
【図１４】
2015019716.tif 000016
【図１５】
2015019716.tif 000017